(57)【要約】【課題】凹部と凸部を噛み合わせる際、これらの位置関係を容易に把握することができる容器を提供すること。【解決手段】第１容器１０の開口部１１と第２容器２０の開口部２１とを嵌合して形成される容器本体２を備えた容器１であって、第１容器１０は、頂部１０ａに形成された第１接触面１２と、第１接触面１２を取り囲むと共に第１接触面１２に対して傾斜した第１傾斜面１３と、第１接触面１２と第１傾斜面１３とに跨って形成された凹部１４と、を有し、第２容器２０は、頂部２０ａに形成されると共に第１接触面１２に重ね合わせることが可能な第２接触面２２と、第２接触面２２を取り囲むと共に第２接触面２２に対して傾斜した第２傾斜面２３と、第２接触面２２と第２傾斜面２３とに跨って形成されると共に凹部１４に挿入可能な凸部２４と、を有する。【選択図】図１
2020015533.tif 000002
【特許請求の範囲】
【請求項１】
第１容器の開口部と第２容器の開口部とを嵌合して形成される容器本体を備えた容器であって、
前記第１容器は、頂部に形成された第１接触面と、前記第１接触面を取り囲むと共に前記第１接触面に対して傾斜した第１傾斜面と、前記第１接触面と前記第１傾斜面とに跨って形成された凹部と、を有し、
前記第２容器は、頂部に形成されると共に前記第１接触面に重ね合わせることが可能な第２接触面と、前記第２接触面を取り囲むと共に前記第２接触面に対して傾斜した第２傾斜面と、前記第２接触面と前記第２傾斜面とに跨って形成されると共に前記凹部に挿入可能な凸部と、を有する
ことを特徴とする容器。
【請求項２】
請求項１に記載された容器において、
前記第１傾斜面及び前記第２傾斜面は、それぞれ周方向に沿って形成された複数の平坦な平坦領域を有し、
前記第１傾斜面に形成された複数の平坦領域は、それぞれ前記第１容器の開口部の周縁から前記第１容器の頂部に向かって延び、
前記第２傾斜面に形成された複数の平坦領域は、それぞれ前記第２容器の開口部の周縁から前記第２容器の頂部に向かって延び、
前記第１容器の開口部と前記第２容器の開口部とを嵌合した状態で、前記第１傾斜面に形成された平坦領域と、前記第２傾斜面に形成された平坦領域とが容器本体の軸方向に沿って連続する
ことを特徴とする容器。
【請求項３】
請求項１又は請求項２に記載された容器において、
前記第１容器と前記第２容器とは、ヒンジを介して連結され、
前記ヒンジは、前記第１容器と前記第２容器を連結する連結帯と、前記第１容器の開口部及び前記第２容器の開口部のいずれか一方の周縁から前記容器本体の軸方向に突出したヒンジ突部と、前記第１容器の開口部及び前記第２容器の開口部のいずれか他方の周縁を前記容器本体の軸方向に沿ってへこませることで形成され、前記第１容器と前記第２容器を嵌合した状態で前記ヒンジ突部が嵌合するヒンジへこみ部と、を有する
ことを特徴とする容器。
【請求項４】
請求項３に記載された容器において、
前記第１容器の開口縁には、前記連結帯を収容可能な第１切欠部が形成され、前記第２容器の開口縁には、前記連結帯を収容可能な第２切欠部が形成され、
前記連結帯は、一端が前記第１切欠部の内側に連結され、他端が前記第２切欠部の内側に連結されると共に、前記第１容器及び前記第２容器の厚みの半分の厚みを有する
ことを特徴とする容器。
【発明の詳細な説明】
【技術分野】
【０００１】
本発明は、第１容器と第２容器とを嵌合することで形成される容器に関するものである。
【背景技術】
【０００２】
従来、半球状の第１容器と第２容器の開口部同士を嵌合して形成される球状の容器本体を備え、第１容器の頂部に凹部を設け、第２容器の頂部に凸部を設けた容器が知られている（例えば、特許文献１参照）。この従来の容器では、凹部と凸部を互いに噛み合わせることで、複数の容器本体同士を連結することが可能である。
【先行技術文献】
【特許文献】
【０００３】
【特許文献１】特開２００４−１４９２１６号公報
【発明の概要】
【発明が解決しようとする課題】
【０００４】
しかしながら、従来の容器にあっては、凹部と凸部がそれぞれ第１，第２容器の頂部に形成されているため、この凹部と凸部を噛み合わせるときに、凹部と凸部が第１，第２容器の側面の陰に隠れてしまう。そのため、凹部と凸部を噛み合わせる際、これらの位置関係を把握して噛み合わせることが難しいという問題が生じる。
【０００５】
本発明は、上記問題に着目してなされたもので、凹部と凸部を噛み合わせる際、これらの位置関係を容易に把握することができる容器を提供することを目的としている。
【課題を解決するための手段】
【０００６】
上記目的を達成するため、本発明の容器は、第１容器の開口部と、第２容器の開口部とを嵌合して形成される容器本体を備えている。第１容器は、頂部に形成された第１接触面と、第１接触面を取り囲むと共にこの第１接触面に対して傾斜した第１傾斜面と、第１接触面と第１傾斜面とに跨って形成された凹部と、を有している。第２容器は、頂部に形成されると共に第１接触面と重ね合わせることが可能な第２接触面と、第２接触面を取り囲むと共に第２接触面に対して傾斜した第２傾斜面と、第２接触面と第２傾斜面とに跨って形成されると共に前記凹部に挿入可能な凸部と、を有している。
【発明の効果】
【０００７】
よって、本発明の容器では、凹部と凸部を噛み合わせる際、これらの位置関係を容易に把握することができる。
【図面の簡単な説明】
【０００８】
【図１】実施例１の容器において第１容器を上にした起立時の外観斜視図である。
【図２】実施例１の容器において容器本体を開いた状態の外観斜視図である。
【図３Ａ】実施例１の容器における第１容器の頂部の平面図である。
【図３Ｂ】実施例１の容器における凹部の間隔寸法を示す説明図である。
【図３Ｃ】実施例１の容器における第１容器の形状を説明する説明図である。
【図４】実施例１の容器において第２容器を上にした起立時の外観斜視図である。
【図５】実施例１の容器における第２容器の頂部の平面図である。
【図６】図３ＡのＡ−Ａ断面図である。
【図７】軸方向を一致させて実施例１の容器を積み上げたときの外観斜視図である。
【図８】軸方向を一致させて実施例１の容器を積み上げたときの凹部と凸部の位置関係を示す説明図である。
【図９】軸方向をずらして実施例１の容器を積み上げたときの外観斜視図である。
【図１０】軸方向をずらして実施例１の容器を積み上げたときの凹部と凸部の位置関係を示す説明図である。
【図１１】側面を接触させて実施例１の容器を三個並べ、その中心に一個積み上げたときの外観斜視図である。
【図１２】側面を接触させて実施例１の容器を三個並べ、その中心に一個積み上げたときの凹部と凸部の位置関係を示す説明図である。
【図１３Ａ】側面を接触させて実施例１の容器を二個並べ、その中心に一個積み上げたときの外観斜視図である。
【図１３Ｂ】側面を接触させて実施例１の容器を二個並べ、その中心に一個積み上げたときの凹部と凸部の位置関係を示す説明図である。
【図１４Ａ】第１容器と第２容器を開放した状態で二個の容器を嵌合するときの外観斜視図である。
【図１４Ｂ】第１容器と第２容器を開放した状態で二個の容器を嵌合したときの側面図である。
【図１５】実施例１の容器の第１変形例を示す外観斜視図である。
【図１６】実施例１の容器の第２変形例を示す外観斜視図である。
【発明を実施するための形態】
【０００９】
以下、本発明の容器を実施するための形態を、図面を参照しながら説明する。
【００１０】
（実施例１）
実施例１の容器１の構成を、「容器の全体構成」、「第１容器の詳細構成」、「第２容器の詳細構成」、「ヒンジの詳細構成」に分けて説明する。
【００１１】
以下、実施例１の容器１の全体構成を説明する。実施例１の容器１は、図１に示すように、中空俵形状の容器本体２を備えている。この容器本体２は、図２に示すように、第１容器１０と第２容器２０とに二分割可能であり、第１容器１０の開口部１１と、第２容器２０の開口部２１とを開閉可能に嵌合して形成されている。また、第１容器１０と第２容器２０とは、図２に示すように、ヒンジ３０を介して開口部１１，２１の一部が連結されている。
【００１２】
この容器１は、一般的に、ポリプロピレン等の軟質プラスチック材により、鶏卵大の大きさ程度から野球ボール大の大きさ程度に形成される。なお、軟質プラスチック材によって容器１を形成することで、破損した際に砕けて飛び散りにくい。そして、この容器１は、玩具や菓子等を内部に入れて自動販売機で販売される自動販売機用の容器として使用される。また、中に入れた玩具等を取り出した後には、容器１を玉入れゲームの玉として用いたり、ボールのように容器１を投げて遊んだりすることもできる。
【００１３】
以下、実施例１の第１容器１０の詳細構成を説明する。実施例１の第１容器１０は、開口部１１と、第１接触面１２と、第１傾斜面１３と、凹部１４と、を有している。
【００１４】
開口部１１は、第１容器１０を容器本体２の軸方向Ｌに沿って開放する開口である。この開口部１１の周縁には、図２に示すように、開口外側に段差面１１ｂを有する第１インロー部１１ａが設けられている。第１インロー部１１ａの外周面には、この外周面から突出すると共に周方向に延びる複数の突条１１ｃが形成されている。なお、図２では一つの突条１１ｃのみを示す。
【００１５】
第１接触面１２は、開口部１１に対向する第１容器１０の頂部１０ａの外表面に形成され、容器本体２の軸方向Ｌに直交する平坦な領域である。この第１接触面１２は、第１容器１０の頂点１０ｂを中心とした環状の周縁１２ａに囲まれ、円形に形成されている。なお、「頂点１０ｂ」は、頂部１０ａのうち、容器本体２の軸方向Ｌが通る位置である。また、第１接触面１２には、第１容器１０を貫通する複数（ここでは四個）の貫通孔１２ｂと、第１容器１０の表面をへこませることで頂点１０ｂの位置を示すへこみ部１２ｃが形成されている。
【００１６】
第１傾斜面１３は、開口部１１及び第１接触面１２を取り囲み、第１接触面１２に対して傾斜して湾曲した領域である。この第１傾斜面１３には、容器本体２の周方向に等間隔をあけて複数（実施例１では六ヶ所）の平坦領域１３ａが形成されている。また、この第１傾斜面１３の表面には、平坦領域１３ａと第１接触面１２との間の位置に、サイコロの目を模した複数の刻印１３ｂが形成されている。さらに、この第１傾斜面１３には、硬貨が通過可能なスリット１３ｃが形成されている。
【００１７】
平坦領域１３ａは、開口部１１の周縁から頂部１０ａに向かって延びる平坦な領域である。各平坦領域１３ａは、それぞれ正面視で半楕円形状を呈している。また、各平坦領域１３ａは、容器本体２の軸方向Ｌに対して平行に設定されている。
【００１８】
凹部１４は、第１容器１０の表面に形成されるへこみであり、ここでは、第１容器１０の表面から多数の突起１４ａを突出させ、隣り合う一対の突起１４ａの間に生じる空間によって形成されている。この凹部１４は、図３Ａに示すように、一対のメイン凹部１４ｂ，１４ｃと、一対のサブ凹部１４ｄ，１４ｅと、一対の第１補助凹部１４ｆ，１４ｇと、一対の第２補助凹部１４ｈ，１４ｊと、一対の第３補助凹部１４ｋ，１４ｍと、一対の第４補助凹部１４ｎ，１４ｐと、一対の第５補助凹部１４ｑ，１４ｒと、一対の第６補助凹部１４ｓ，１４ｔと、を有している。
【００１９】
なお、一対のメイン凹部１４ｂ，１４ｃや一対のサブ凹部１４ｄ，１４ｅ等は、それぞれ同じ幅の溝形状を呈しているが、一部が重なりあうことで分断される。また、多数の突起１４ａは、いずれも先端が第１接触面１２と平行な平坦な面に形成され、この先端面によって、容器本体２の軸方向Ｌに直交する一つの面を形成している。さらに、各突起１４ａは、第１容器１０の表面から起立した側面が先細りとなるように傾斜している。
【００２０】
一対のメイン凹部１４ｂ，１４ｃは、それぞれ第１接触面１２を横切ると共に、頂点１０ｂで直交する。また、各メイン凹部１４ｂ，１４ｃは、両端部が第１傾斜面１３に至るまで延びている。すなわち、一対のメイン凹部１４ｂ，１４ｃは、いずれも両端部が第１接触面１２と第１傾斜面１３とに跨って形成されている。一方、他の凹部（サブ凹部１４ｄ，１４ｅ等）は、後述するようにいずれも全長が第１接触面１２内に形成されている。そのため、第１接触面１２と第１傾斜面１３とに跨って形成された凹部１４は、四カ所（一対のメイン凹部１４ｂ，１４ｃの両端部）になる。
【００２１】
一対のサブ凹部１４ｄ，１４ｅは、一対のメイン凹部１４ｂ，１４ｃに対して頂点１０ｂを中心に４５°回転した位置に形成され、頂点１０ｂで直交する。また、各サブ凹部１４ｄ，１４ｅは、全長が第１接触面１２内に形成されている。
【００２２】
一対の第１補助凹部１４ｆ，１４ｇは、一方のメイン凹部１４ｂを中心にしてその両側にそれぞれ形成され、この一方のメイン凹部１４ｂに対して平行に延びている。そして、各第１補助凹部１４ｆ，１４ｇは、いずれも全長にわたって第１接触面１２内に形成されている。そのため、一対の第１補助凹部１４ｆ，１４ｇは、それぞれ他方のメイン凹部１４ｃと交差する。また、一方のメイン凹部１４ｂから各第１補助凹部１４ｆ，１４ｇまでの長さは、同じ長さに設定されている。
【００２３】
一対の第２補助凹部１４ｈ，１４ｊは、他方のメイン凹部１４ｃを中心にしてその両側にそれぞれ形成され、この他方のメイン凹部１４ｃに対して平行に延びている。そして、各第２補助凹部１４ｈ，１４ｊは、いずれも全長にわたって第１接触面１２内に形成されている。そのため、一対の第２補助凹部１４ｈ，１４ｊは、それぞれ一方のメイン凹部１４ｂと交差する。また、他方のメイン凹部１４ｃから各第２補助凹部１４ｈ，１４ｊまでの長さは、同じ長さに設定されている。
【００２４】
一対の第３補助凹部１４ｋ，１４ｍは、一方のサブ凹部１４ｄを中心にしてその両側にそれぞれ形成され、この一方のサブ凹部１４ｄに対して平行に延びている。そして、各第３補助凹部１４ｋ，１４ｍは、いずれも全長にわたって第１接触面１２内に形成されている。そのため、一対の第３補助凹部１４ｋ，１４ｍは、それぞれ他方のサブ凹部１４ｅと交差する。また、一方のサブ凹部１４ｄから各第３補助凹部１４ｋ，１４ｍまでの長さは、同じ長さに設定されている。
【００２５】
一対の第４補助凹部１４ｎ，１４ｐは、他方のサブ凹部１４ｅを中心にしてその両側にそれぞれ形成され、この他方のサブ凹部１４ｅに対して平行に延びている。そして、各第４補助凹部１４ｎ，１４ｐは、いずれも全長にわたって第１接触面１２内に形成されている。そのため、一対の第４補助凹部１４ｎ，１４ｐは、それぞれ一方のサブ凹部１４ｄ及び一対の第３補助凹部１４ｋ，１４ｍと交差する。また、他方のサブ凹部１４ｅから各第４補助凹部１４ｎ，１４ｐまでの長さは、同じ長さに設定されている。
【００２６】
一対の第５補助凹部１４ｑ，１４ｒは、それぞれ一対の第１補助凹部１４ｆ，１４ｇと第１接触面１２の周縁１２ａとの間に形成され、一対の第１補助凹部１４ｆ，１４ｇに対して平行に延びている。そして、各第５補助凹部１４ｑ，１４ｒは、いずれも全長にわたって第１接触面１２内に形成されると共に、第１接触面１２の周縁１２ａにほぼ沿った直線状に形成されている。そのため、一対の第５補助凹部１４ｑ，１４ｒは、それぞれ他方のメイン凹部１４ｃと交差する。また、一方の第１補助凹部１４ｆから一方の第５補助凹部１４ｑまでの長さと、他方の第１補助凹部１４ｇから他方の第５補助凹部１４ｒまでの長さは、同じ長さに設定されている。
【００２７】
一対の第６補助凹部１４ｓ，１４ｔは、それぞれ一対の第２補助凹部１４ｈ，１４ｊと第１接触面１２の周縁１２ａとの間に形成され、一対の第２補助凹部１４ｈ，１４ｊに対して平行に延びている。そして、各第６補助凹部１４ｓ，１４ｔは、いずれも全長にわたって第１接触面１２内に形成されると共に、第１接触面１２の周縁１２ａにほぼ沿った直線状に形成されている。そのため、一対の第６補助凹部１４ｓ，１４ｔは、それぞれ一方のメイン凹部１４ｂと交差する。また、一方の第２補助凹部１４ｈから一方の第６補助凹部１４ｓまでの長さと、他方の第２補助凹部１４ｊから他方の第６補助凹部１４ｔまでの長さは、同じ長さに設定されている。
【００２８】
そして、図３Ｂに示すように、一方のメイン凹部１４ｂの幅方向中心から各第１補助凹部１４ｆ，１４ｇの幅方向中心までの長さと、他方のメイン凹部１４ｃの幅方向中心から各第２補助凹部１４ｈ，１４ｊの幅方向中心までの長さを、同一の長さ「Ｗ」に設定する。また、一方のサブ凹部１４ｄの幅方向中心から各第３補助凹部１４ｋ，１４ｍの幅方向中心までの長さと、他方のサブ凹部１４ｅの幅方向中心から各第４補助凹部１４ｎ，１４ｐの幅方向中心までの長さを、いずれも「Ｗ／√２」に設定する。さらに、一方の第１補助凹部１４ｆの幅方向中心から一方の第５補助凹部１４ｑの幅方向中心までの長さ、他方の第１補助凹部１４ｇの幅方向中心から他方の第５補助凹部１４ｒの幅方向中心までの長さ、一方の第２補助凹部１４ｈの幅方向中心から一方の第６補助凹部１４ｓの幅方向中心までの長さ、他方の第２補助凹部１４ｊの幅方向中心から他方の第６補助凹部１４ｔの幅方向中心までの長さは、それぞれ「Ｗ／２」に設定する。
【００２９】
そのため、一方のメイン凹部１４ｂと一方の第２補助凹部１４ｈの交点は、一方の第３補助凹部１４ｋと一方の第４補助凹部１４ｎの交点に一致する。また、一方のメイン凹部１４ｂと他方の第２補助凹部１４ｊの交点は、他方の第３補助凹部１４ｍと他方の第４補助凹部１４ｐの交点に一致する。また、他方のメイン凹部１４ｃと一方の第１補助凹部１４ｆの交点は、他方の第３補助凹部１４ｍと一方の第４補助凹部１４ｎの交点に一致する。また、他方のメイン凹部１４ｃと他方の第１補助凹部１４ｇの交点は、一方の第３補助凹部１４ｋと他方の第４補助凹部１４ｐの交点に一致する。
【００３０】
さらに、図３Ｃに示すように、平坦領域１３ａから、第１傾斜面１３が内接する頂点１０ｂを中心とする円Ｒ１までの最大寸法Ｘと、第１接触面１２の周縁１２ａに沿った円Ｒ２から一対のメイン凹部１４ｂ，１４ｃのそれぞれの端部までの距離Ｙが、同じ長さに設定されている。
【００３１】
以下、実施例１の第２容器２０の詳細構成を説明する。実施例１の第２容器２０は、第１容器１０とほぼ同じ外観形状に形成され、図２及び図４に示すように、開口部２１と、第２接触面２２と、第２傾斜面２３と、凸部２４と、を有している。
【００３２】
開口部２１は、第２容器２０を容器本体２の軸方向Ｌに沿って開放する開口である。この開口部２１の周縁には、開口内側に段差面２１ｂを有する第２インロー部２１ａが設けられている。この第２インロー部２１ａの内側には、第１インロー部１１ａが嵌合する。第２インロー部２１ａの内周面には、この内周面をへこませると共に周方向に延びる複数の溝２１ｃが形成されている。なお、図２では一つの溝２１ｃのみを示す。第１容器１０と第２容器２０を嵌合した状態で、この溝２１ｃには、第１容器１０の第１インロー部１１ａに形成された突条１１ｃが嵌合する。
【００３３】
第２接触面２２は、開口部２１に対向する第２容器２０の頂部２０ａの外表面に形成され、容器本体２の軸方向Ｌに直交する平坦な領域である。この第２接触面２２は、第２容器２０の頂点２０ｂを中心とした環状の周縁２２ａに囲まれ、第１接触面１２と同じ大きさの円形に形成されている。なお、「頂点２０ｂ」は、頂部２０ａのうち、容器本体２の軸方向Ｌが通る位置である。また、第２接触面２２には、第２容器２０を貫通する複数（ここでは四個）の貫通孔２２ｂが形成されている。
【００３４】
第２傾斜面２３は、開口部２１及び第２接触面２２を取り囲み、第２接触面２２に対して傾斜して湾曲した領域である。なお、この第２傾斜面２３の曲率は、第１容器１０の第１傾斜面１３と同じ大きさに設定されている。この第２傾斜面２３には、容器本体２の周方向に等間隔をあけて複数（実施例１では六ヶ所）の平坦領域２３ａが形成されている。また、この第２傾斜面２３の表面には、平坦領域２３ａと第２接触面２２との間の位置に、サイコロの目を模した複数の刻印２３ｂが形成されている。
【００３５】
平坦領域２３ａは、開口部２１の周縁から頂部２０ａに向かって延びる平坦な領域である。各平坦領域２３ａは、それぞれ正面視で半楕円形状を呈している。また、各平坦領域２３ａは、容器本体２の軸方向Ｌに対して平行に設定されている。
【００３６】
そして、第１容器１０の平坦領域１３ａと第２容器２０の平坦領域２３ａは、第１容器１０と第２容器２０を嵌合した状態で、容器本体２の軸方向Ｌに沿って第１容器１０から第２容器２０に向かって連続する位置に形成されている。そのため、第１容器１０と第２容器２０を嵌合すると、第１容器１０の平坦領域１３ａと第２容器２０の平坦領域２３ａによって、容器本体２の周面には、周方向に等間隔で並ぶ楕円形の平坦な面が六面形成される（図１参照）。なお、容器本体２は、第１，第２接触面１２，２２及び平坦領域１３ａ，２３ａ以外の表面が湾曲している。これにより、容器本体２の閉じた状態の外観は、角が丸くなった六角柱形状を呈する。
【００３７】
凸部２４は、第２容器２０の表面から突出するでっぱりである。ここで、凸部２４の高さは、第１容器１０に形成された凹部１４の深さとほぼ同じ大きさに設定されている。この凸部２４は、図５に示すように、一対のメイン凸部２４ｂ，２４ｃと、一対の第１補助凸部２４ｆ，２４ｇと、一対の第２補助凸部２４ｈ，２４ｊと、を有している。
【００３８】
なお、一対のメイン凸部２４ｂ，２４ｃと、一対の第１補助凸部２４ｆ，２４ｇと、一対の第２補助凸部２４ｈ，２４ｊは、それぞれ凹部１４の幅とほぼ同じ幅の帯形状を呈している。また、各凸部２４ｂ，２４ｃ，２４ｆ，２４ｇ，２４ｈ，２４ｊは、いずれも先端が第２接触面２２と平行な平坦な面に形成され、この先端面によって容器本体２の軸方向Ｌに直交する一つの面を形成している。さらに、一対の第１補助凸部２４ｆ，２４ｇ及び一対の第２補助凸部２４ｈ，２４ｊは、頂点２０ｂに臨む側面が先細りとなるように傾斜している。この傾斜角度は、凹部１４を形成する突起１４ａの側面の傾斜角度をほぼ同じ角度に設定されている。
【００３９】
一対のメイン凸部２４ｂ，２４ｃは、それぞれ第２接触面２２を横切ると共に、頂点２０ｂで直交する。また、各メイン凸部２４ｂ，２４ｃは、両端部が第２傾斜面２３に至るまで延びている。すなわち、一対のメイン凸部２４ｂ，２４ｃは、いずれも両端部が第２接触面２２と第２傾斜面２３とに跨って形成されている。一方、他の凸部（第１補助凸部２４ｆ，２４ｇ等）は、後述するようにいずれも全長が第２接触面２２内に形成されている。そのため、第２接触面２２と第２傾斜面２３とに跨って形成された凸部２４は、四カ所（一対のメイン凸部２４ｂ，２４ｃの両端部）になる。
【００４０】
一対の第１補助凸部２４ｆ，２４ｇは、一方のメイン凸部２４ｂを中心にしてその両側にそれぞれ形成され、この一方のメイン凸部２４ｂに対して平行に延びている。そして、各第１補助凸部２４ｆ，２４ｇは、いずれも全長にわたって第２接触面２２内に形成されている。そのため、一対の第１補助凸部２４ｆ，２４ｇは、それぞれ他方のメイン凸部２４ｃと交差する。また、一方のメイン凸部２４ｂの幅方向中心から各第１補助凸部２４ｆ，２４ｇの幅方向中心までの長さは、同じ長さに設定されている。なお、ここでは、一方のメイン凹部１４ｂの幅方向中心から各第１補助凹部１４ｆ，１４ｇの幅方向中心までの長さと同じ長さ（Ｗ）に設定されている。
【００４１】
一対の第２補助凸部２４ｈ，２４ｊは、他方のメイン凸部２４ｃを中心にしてその両側にそれぞれ形成され、この他方のメイン凸部２４ｃに対して平行に延びている。そして、各第２補助凸部２４ｈ，２４ｊは、いずれも全長にわたって第２接触面２２内に形成されている。そのため、一対の第２補助凸部２４ｈ，２４ｊは、それぞれ一方のメイン凸部２４ｂと交差する。また、他方のメイン凸部２４ｃの幅方向中心から各第２補助凸部２４ｈ，２４ｊの幅方向中心までの長さは、同じ長さに設定されている。なお、ここでは、一方のメイン凹部１４ｂの幅方向中心から各第２補助凹部１４ｈ，１４ｊの幅方向中心までの長さと同じ長さ（Ｗ）に設定されている。
【００４２】
そして、一対の第１補助凸部２４ｆ，２４ｇと、一対の第２補助凸部２４ｈ，２４ｊは、互いに両端が交差し、頂点２０ｂを中心とした格子形状を呈している。ここで、一対の第１補助凸部２４ｆ，２４ｇ及び一対の第２補助凸部２４ｈ，２４ｊは、それぞれの交点までの長さに設定されている。
【００４３】
さらに、平坦領域２３ａから第２傾斜面２３が内接する頂点２０ｂを中心とする円Ｒ３までの最大寸法Ｚ（図５参照）と、第１接触面１２の周縁１２ａに沿った円Ｒ２から一対のメイン凹部１４ｂ，１４ｃのそれぞれの端部までの距離Ｙ（図３Ｃ参照）が、同じ長さに設定されている。
【００４４】
以下、実施例１のヒンジ３０の詳細構成を説明する。実施例１のヒンジ３０は、図２に示すように、第１容器１０の開口部１１の一部と第２容器２０の開口部２１の一部を連結し、第１容器１０と第２容器２０とを連結したまま開閉可能にするものである。このヒンジ３０は、連結帯３１と、ヒンジ突部３２と、ヒンジへこみ部３３と、を有している。
【００４５】
連結帯３１は、撓み変形が可能な帯状部材である。ここで、第１容器１０の開口縁のうち、平坦領域１３ａが形成されたことで直線状になっている部分に第１切欠部３１ａが形成され、第２容器２０の開口縁のうち、平坦領域２３ａが形成されたことで直線状になっている部分に第２切欠部３１ｂが形成されている。そして、第１切欠部３１ａは、第１インロー部１１ａの段差部１１ｂを軸方向Ｌに沿って切り欠き、連結帯３１の一端から長さ方向の半分までの領域を収容可能矩形のへこみ部分である。第２切欠部３１ｂは、第２インロー部２１ａの先端を軸方向Ｌに沿って切り欠き、連結帯３１の他端から長さ方向の半分までの領域を収容可能な矩形のへこみ部分である。一方、連結帯３１は、一端が第１切欠部３１ａの内側に連結され、他端が第２切欠部３１ｂの内側に連結された矩形状の帯片である。
【００４６】
ヒンジ突部３２は、第１インロー部１１ａの先端のうち、連結帯３１に隣接する部分を軸方向Ｌに突出することで形成されている。すなわち、このヒンジ突部３２により、第１容器１０の開口部１１は、周縁の一部が軸方向Ｌに沿って突出している。
【００４７】
ヒンジへこみ部３３は、第２インロー部２１ａの開口内側の段差面２１ｂのうち、連結帯３１に隣接する部分を軸方向Ｌにへこませることで形成されている。このヒンジへこみ部３３には、第１容器１０の開口部１１と、第２容器２０の開口部２１とを嵌合した状態で、ヒンジ突部３２が嵌合する。
【００４８】
実施例１の容器１の作用を「物品収納ケース作用」と、「積み木玩具作用」と、「その他の玩具作用」に分けて説明する
【００４９】
以下、実施例１の容器１における物品収納ケース作用を説明する。実施例１の容器１は、図１に示すように、第１容器１０の開口部１１と第２容器２０の開口部２１とを嵌合することで、互いの開口部１１，２１が閉鎖し、容器本体２が閉じ状態になる。また、図２に示すように、第１容器１０の開口部１１と第２容器２０の開口部２１とを離間させ、第１容器１０と第２容器２０とに二分割することで、互いの開口部１１，２１が開放し、容器本体２が開き状態になる。
【００５０】
これにより、容器本体２の内部に玩具等の物品を収納したり、容器本体２の内部に収納した物品を適宜取り出すことができ、この容器１を、物品を収納するケースとして使用することができる。
【００５１】
そして、第１容器１０の開口部１１と第２容器２０の開口部２１とを嵌合したときには、第２容器２０の第２インロー部２１ａの内側に、第１容器１０の第１インロー部１１ａが嵌合する。このため、開口部１１，２１の間に隙間が生じにくくなる。さらに、ここでは、第１インロー部１１ａの外周面に複数の突条１１ｃが形成され、第２インロー部２１ａの内周面に複数の溝２１ｃが形成されている。そして、開口部１１，２１を嵌合させた際、突条１１ｃが溝２１ｃに嵌まり込む。これにより、開口部１１，２１が互いに離間しようとすると突条１１ｃが溝２１ｃと干渉するので、容器本体２が不要に開いてしまうことを防止できる。
【００５２】
そして、容器本体２を開くときには、指等で第１容器１０の第１傾斜面１３の一部を押圧し、開口部１１を容器本体２の内側に撓ませる。これにより、第１容器１０の開口部１１と第２容器２０の開口部２１との間に隙間が生じ、第２インロー部２１ａから第１インロー部１１ａを抜き出すことができる。この結果、第１容器１０の開口部１１と第２容器２０の開口部２１とが離間し、容器本体２を開くことができる。
【００５３】
なお、容器本体２を開くときには、第１容器１０と第２容器２０はヒンジ３０を中心にして離れていくが、この第１，第２容器１０，２０はヒンジ３０の連結帯３１によって連結されている。そのため、容器本体２を開いても第１，第２容器１０，２０が分かれない。
【００５４】
一方、容器本体２を閉じるときには、ヒンジ３０を中心にして第１容器１０の開口部１１と第２容器２０の開口部２１とを近接させ、第２インロー部２１ａの内側に第１インロー部１１ａを差し込む。ここで、ヒンジ３０では、第１インロー部１１ａの先端からヒンジ突部３２が突出している。このため、第１インロー部１１ａの先端が第２インロー部２１ａの内側に入る前に、ヒンジ突部３２が第２インロー部２１ａの内側に入り込むことになる。すなわち、開口部２１に対する開口部１１の差し込み方向が案内される。これにより、第１容器１０の開口部１１と第２容器２０の開口部２１とが近づいていくことで連結帯３１が撓んでも、開口部１１と開口部２１との位置ずれを抑制して、円滑に嵌合させることができる。
【００５５】
さらに、この容器１では、第１，第２容器１０，２０がヒンジ３０の連結帯３１によって連結されているため、容器本体２を閉じるときには、第１，第２容器１０，２０の周方向の位置関係が規定され、第１，第２容器１０，２０の周方向の位置ずれが生じることを防止できる。
【００５６】
しかも、連結帯３１は、第１，第２容器１０，２０の開口縁のうち、平坦領域１３ａ，２３ａが形成されて直線状になっている部分に連結されている。これにより、図６に拡大して示すように、第１容器１０の開口部１１と第２容器２０の開口部２１とを嵌合したことで連結帯３１の両端が引っ張られた際、この連結帯３１は、第１，第２切欠部３１ａ，３１ｂによって形成された空間の内部で平面状になる。よって、連結帯３１は、直線状になった第１，第２容器１０，２０の開口縁に沿って起立し、容器本体２の外周面から突出することがない。
【００５７】
以下、実施例１の容器１における積み木玩具作用を説明する。実施例１の容器１は、容器本体２を閉じた状態において、一方の頂部１０ａに第１接触面１２が形成され、他方の頂部２０ａに第２接触面２２が形成されている。また、第１接触面１２から突出する多数の突起１４ａによって凹部１４が形成され、第２接触面２２から突出する凸部２４が形成されている。これにより、玩具等の物品を容器本体２から取り出した後は、この容器１を積み木玩具として使用することができる。
【００５８】
すなわち、容器１は、軸方向Ｌを鉛直方向に向け、第１接触面１２又は第２接触面２２を下方に向けた状態で容器本体２を起立させることができる。そして、図７に示すように、一方の容器１αの容器本体２を例えば第１接触面１２を上方に向けて起立させたとき、この一方の容器１αの上に、第２接触面２２を下方に向けた他方の容器１βの容器本体２を積み上げていくことができる。
【００５９】
このとき、一方の容器１αの第１接触面１２と、他方の容器１βの第２接触面２２とが対向し、一方の容器１αの凹部１４に他方の容器１βの凸部２４が入り込んで、凹部１４と凸部２４が噛み合う。これにより、積み上げた他方の容器１βの位置決めがなされ、容器１βを安定的に積み上げていくことができる。よって、これらの容器１α，１βを積み木玩具として使用することが可能になる。
【００６０】
また、一方の容器１αの上に他方の容器１βを積み上げたときには、一方の容器１αの第１接触面１２と、他方の容器１βの第２接触面２２とが重なり合う。これに対し、各容器１α，１βでは、凹部１４のうち、一対のメイン凹部１４ｂ，１４ｃの両端部が、第１接触面１２と第１傾斜面１３とに跨って形成されている。また、凸部２４のうち、一対のメイン凸部２４ｂ，２４ｃの両端部が、第２接触面２２と第２傾斜面２３とに跨って形成されている。
【００６１】
そのため、二つの容器１α，１βを積み上げたことで一方の容器１αの第１接触面１２と、他方の容器１βの第２接触面２２とが重なり合っても、一方の容器１αの一対のメイン凹部１４ｂ，１４ｃのうち、第１傾斜面１３に形成された部分は、他方の容器１βに重ならない。また、他方の容器１βの一対のメイン凸部２４ｂ，２４ｃのうち、第２傾斜面２３に形成された部分も、一方の容器１αには重ならない。これにより、周囲から一対のメイン凹部１４ｂ，１４ｃの両端部及び一対のメイン凸部２４ｂ，２４ｃの両端部を目視することができる。つまり、二つの容器１α，１βを積み上げた状態でメイン凹部１４ｂ，１４ｃ及び一対のメイン凸部２４ｂ，２４ｃの位置を把握することができる。よって、二つの容器１α，１βを積み上げて凹部１４と凸部２４を噛み合わせる際、この凹部１４と凸部２４の位置関係を容易に把握することができる。これにより、二つの容器１α，１βの周方向の位置を容易に認識しながら積み上げていくことが可能になる。
【００６２】
なお、この容器１では、互いの軸方向Ｌの位置が一致していても、一対のメイン凹部１４ｂ，１４ｃに対して一対のメイン凸部２４ｂ，２４ｃが対向していなければ、凹部１４と凸部２４を噛み合わせることができない（図８参照）。これに対し、この容器１では、積み上げ状態で凹部１４と凸部２４の位置関係を容易に把握することができる。このため、一対のメイン凹部１４ｂ，１４ｃに対する一対のメイン凸部２４ｂ，２４ｃの位置を適切に認識することができて、二つの容器１α，１βを容易に積み上げていくことが可能になる。
【００６３】
そして、この容器１では、凹部１４が、一対のメイン凹部１４ｂ，１４ｃと、一対のサブ凹部１４ｄ，１４ｅと、一対の第１補助凹部１４ｆ，１４ｇと、一対の第２補助凹部１４ｈ，１４ｊと、一対の第３補助凹部１４ｋ，１４ｍと、一対の第４補助凹部１４ｎ，１４ｐと、一対の第５補助凹部１４ｑ，１４ｒと、一対の第６補助凹部１４ｓ，１４ｔと、を有している。一方、凸部２４は、一対のメイン凸部２４ｂ，２４ｃと、一対の第１補助凸部２４ｆ，２４ｇと、一対の第２補助凸部２４ｈ，２４ｊと、を有している。
【００６４】
そのため、二つの容器１α，１βを、図７，図８に示すように、軸方向Ｌを一致させた状態で積み上げるだけでなく、互いの軸方向Ｌの位置を水平にずらした状態であっても積み上げていくことが可能になる。
【００６５】
つまり、図８に示すように、積み上げ状態で軸方向Ｌが一致しているときには、一対のメイン凹部１４ｂ，１４ｃに一対のメイン凸部２４ｂ，２４ｃが噛み合う。また、一対の第１補助凹部１４ｆ，１４ｇに一対の第１補助凸部２４ｆ，２４ｇがそれぞれ噛み合う。そして、一対の第２補助凹部１４ｈ，１４ｊに一対の第２補助凸部２４ｈ，２４ｊがそれぞれ噛み合う。
【００６６】
これに対し、図８に示す積み上げ状態から二つの容器１α，１βの軸方向Ｌを相対的に水平方向にずらした場合には、例えば、図９に示す積み上げ状態のように、一方のメイン凸部２４ｂが一方の第１補助凹部１４ｆに噛み合う。また、他方のメイン凸部２４ｃが他方の第１補助凹部１４ｆに噛み合い、他方の第１補助凸部２４ｇが一方のメイン凹部１４ｂに噛み合う。さらに、一対の第２補助凹部１４ｈ，１４ｊに一対の第２補助凸部２４ｈ，２４ｊがそれぞれ噛み合う。よって、二つの容器１α，１βの互いの軸方向Ｌの位置を水平にずらしても、二つの容器１α，１βを安定的に積み上げていくことができる。
【００６７】
また、容器本体２は、第１容器１０の第１傾斜面１３に周方向に等間隔をあけて複数（六ヶ所）の平坦領域１３ａが形成されている。また、第２容器２０の第２傾斜面２３にも、周方向に等間隔をあけて複数（六ヶ所）の平坦領域１３ａが形成されている。そして、第１傾斜面１３に形成された複数の平坦領域１３ａは、それぞれ第１容器１０の開口部１１の周縁から第１容器１０の頂部１０ａに向かって延びている。また、第２傾斜面２３に形成された複数の平坦領域２３ａは、それぞれ第２容器２０の開口部２１の周縁から第２容器２０の頂部２０ａに向かって延びている。さらに、第１傾斜面１３に形成された平坦領域１３ａと、第２傾斜面２３に形成された平坦領域２３ａとは、第１容器１０の開口部１１と第２容器２０の開口部２１とを嵌合した状態で容器本体２の軸方向Ｌに沿って連続する。
【００６８】
これにより、容器本体２の周面には、閉じた状態において、第１傾斜面１３に形成された平坦領域１３ａと、第２傾斜面２３に形成された平坦領域２３ａとにより、周方向に等間隔で並んだ六ヶ所の楕円形の平坦な面が形成される。これにより、この容器本体２は、角が丸くなった六角柱形状を呈することになる。そのため、図１１及び図１２に示すように、軸方向Ｌを鉛直方向に向け、周面に形成された平坦な面を接触させた状態で複数の容器本体２を水平方向に並べることができる。しかも、各容器本体２に平坦な面が六面形成されていることから、一つの容器１に接触する二つの容器１，１同士も互いに接触させることができ、三つの容器１（以下、「第１の容器１Ａ、第２の容器１Ｂ、第３の容器１Ｃ」という）を相互に接触させることが可能になる（図１２参照）。
【００６９】
さらに、図１２に示すように、第２の容器１Ｂ及び第３の容器１Ｃを互いのメイン凹部１４ｂが同一直線に沿うように並べると共に、第１の容器１Ａをメイン凹部１４ｂが第２，第３の容器１Ｂ，１Ｃのメイン凹部１４ｂに対して平行になるように並べ、これらの三つの容器１Ａ〜１Ｃを接触させる。この場合には、その三つの容器１Ａ〜１Ｃの中心位置に、別の容器１（以下、「第４の容器１Ｄ」という）の軸方向Ｌを一致させて積み上げることができる。なお、このとき、第４の容器１Ｄは、他方のメイン凸部２４ｃの一方の端部が、第１の容器１Ａの他方のメイン凹部１４ｃに噛み合うことで、位置決めがなされる。また、この第４の容器１Ｄは、一方のメイン凸部２４ｂの一端及び、他方の第１補助凸部２４ｇと他方の第２補助凸部２４ｊの交点が、それぞれ第２の容器１Ｂの第１接触面１２によって支持される。さらに、一方のメイン凸部２４ｂの他端及び、他方の第１補助凸部２４ｇと一方の第２補助凸部２４ｈの交点が、それぞれ第３の容器１Ｃの第１接触面１２によって支持される。つまり、相互に接触した三つの容器（第１の容器１Ａ、第２の容器１Ｂ、第３の容器１Ｃ）の中心位置に第４の容器１Ｄを積み上げると、この第４の容器１Ｄは、五点で支持される。そのため、安定的に積み上げることが可能となる。
【００７０】
また、ここで、一対の第１補助凸部２４ｆ，２４ｇ及び一対の第２補助凸部２４ｈ，２４ｊの長さが、それぞれの交点までの長さに設定されている。そのため、これらの補助凸部２４ｆ，２４ｇ，２４ｈ，２４ｊが、第２の容器１Ｂや第３の容器１Ｃの突起１４ａに干渉することがない。よって、相互に接触した三つの容器１の中心に第４の容器１Ｄを安定した状態で積み上げることができる。
【００７１】
さらに、容器本体２は、図３Ｃ及び図５に示すように、平坦領域１３ａから円Ｒ１までの最大寸法Ｘ及び平坦領域２３ａから円Ｒ３までの最大寸法Ｚと、第１接触面１２の周縁１２ａに沿った円Ｒ２から一対のメイン凹部１４ｂ，１４ｃのそれぞれの端部までの距離Ｙが、同じ長さに設定されている。また、一対の第５補助凹部１４ｑ，１４ｒ及び一対の第６補助凹部１４ｓ，１４ｔが第１接触面１２の周縁１２ａにほぼ沿った直線状に形成されている。そのため、図１３Ａ及び図１３Ｂに示すように、二つの容器１（以下、「第１の容器１Ａ、第２の容器１Ｂ」という）を互いのメイン凹部１４ｂが同一直線に沿った状態で接触させて並べた上に、別の容器１（以下、「第３の容器１Ｃ」という）を乗せたとき、第１の容器１Ａと第２の容器１Ｂの中心位置に第３の容器１Ｃの軸方向Ｌを一致させることができる。
【００７２】
また、このとき、図１３Ｂに示すように、第３の容器１Ｃのメイン突部２４ｂの両端部は、第１の容器１Ａのメイン凹部１４ｂと、第２の容器１Ｂのメイン凹部１４ｂにそれぞれ噛み合う。また、第１の容器１Ａの一方の第６補助凹部１４ｓに第３の容器１Ｃの他方の第２補助凸部２４ｊが噛み合い、第２の容器１Ｂの他方の第６補助凹部１４ｔに第３の容器１Ｃの一方の第２補助凸部２４ｈが噛み合う。これにより、三つの容器１Ａ〜１Ｃを安定的に積み上げることが可能となる。
【００７３】
しかも、この容器１は、第１容器１０と第２容器２０を開放したときの開放角度が１８０°となる。そのため、図１４Ａに示すように、第１，第２容器１０，２０を開放した状態で、二つの容器１（以下、「第１の容器１Ａ、第２の容器１Ｂ」という）を嵌合することができる。つまり、第１の容器１Ａの第１容器１０を、第２の容器１Ｂの第２容器２０に嵌合する。そして、これと同時に第１の容器１Ａの第２容器２０に対し、第２の容器１Ｂの第１容器１０を嵌合する。これにより、図１４Ｂに示すように、二つの容器（第１の容器１Ａ、第２の容器１Ｂ）を連結した状態で並べることが可能になる。
【００７４】
以下、実施例１の容器１におけるその他の玩具作用について説明する。実施例１の容器１では、容器本体２が角の丸くなった六角柱形状を呈している。そのため、容器本体２の軸方向Ｌを水平方向に向け、容器本体２を倒した状態のときには、平坦領域１３ａ，２３ａを底にして起立することができ、容器本体２を転がりにくくすることができる。
【００７５】
そして、ここでは、第１容器１０の第１傾斜面１３の表面のうち、平坦領域１３ａと第１接触面１２との間の位置に、サイコロの目を模した複数の刻印１３ｂが形成されている。また、第２容器２０の第２傾斜面２３の表面のうち、平坦領域２３ａと第２接触面２２との間の位置に、サイコロの目を模した複数の刻印２３ｂが形成されている。これにより、軸方向Ｌを水平に倒した状態で容器１を回転させることで、容器本体２をサイコロとして用いることが可能になる。
【００７６】
しかも、第１容器１０には、硬貨が通過可能なスリット１３ｃが形成されている。そのため、容器１の容器本体２を貯金箱として使用することも可能となる。
【００７７】
以上の如く、実施例１では、第１容器１０の開口部１１と第２容器２０の開口部２１とを嵌合して形成される容器本体２を備えた容器１であって、第１容器１０は、頂部１０ａに形成された第１接触面１２と、第１接触面１２を取り囲むと共に第１接触面１２に対して傾斜した第１傾斜面１３と、第１接触面１２と第１傾斜面１３とに跨って形成された凹部１４と、を有し、第２容器２０は、頂部２０ａに形成されると共に第１接触面１２に重ね合わせることが可能な第２接触面２２と、第２接触面２２を取り囲むと共に第２接触面２２に対して傾斜した第２傾斜面２３と、第２接触面２２と第２傾斜面２３とに跨って形成されると共に凹部１４に挿入可能な凸部２４と、を有する。これにより、凹部１４と凸部２４を噛み合わせる際、これらの位置関係を容易に把握することができる。
【００７８】
実施例１の容器１にあっては、第１傾斜面１３及び第２傾斜面２３は、それぞれ周方向に等間隔をあけて形成された複数の平坦な平坦領域１３ａ，２３ａを有し、第１傾斜面１３に形成された複数の平坦領域１３ａは、それぞれ第１容器１０の開口部１１の周縁から第１容器１０の頂部１０ａに向かって延び、第２傾斜面２３に形成された複数の平坦領域２３ａは、それぞれ第２容器２０の開口部２１の周縁から第２容器２０の頂部２０ａに向かって延び、第１容器１０の開口部１１と第２容器２０の開口部２１とを嵌合した状態で、第１傾斜面１３に形成された平坦領域１３ａと、第２傾斜面２３に形成された平坦領域２３ａが軸方向Ｌに沿って連続する。これにより、容器本体２の周面に、周方向に等間隔で並ぶ複数の平坦な面を形成することができる。この結果、例えば図１１に示すように、この平坦な面を接触させた状態で複数の容器本体２（容器１Ａ〜１Ｃ）を水平方向に並べることができる。
【００７９】
実施例１の容器１にあっては、第１容器１０と第２容器２０とがヒンジ３０を介して連結され、ヒンジ３０は、第１容器１０と第２容器２０を連結する連結帯３１と、第１容器１０の開口部１１の周縁から容器本体２の軸方向Ｌに突出したヒンジ突部３２と、第２容器２０の開口部２１の周縁が容器本体２の軸方向Ｌに沿ってへこみ、第１容器１０と第２容器２０を嵌合したときにヒンジ突部３２が嵌合するヒンジへこみ部３３と、を有する。これにより、容器本体２を開いたときに第１容器１０と第２容器２０が分かれず、容器本体２を閉じるときに第１容器１０と第２容器２０の周方向の位置関係が規定できる。また、容器本体２を閉じる際、連結帯３１が撓んでも、ヒンジ突部３２によって第２容器２０に対する第１容器１０の差し込み方向を案内でき、第１，第２容器を容易に嵌合させることができる。
【００８０】
実施例１の容器１にあっては、第１容器１０の開口縁に、連結帯３１を収容可能な第１切欠部３１ａが形成され、第２容器２０の開口縁に、連結帯３１を収容可能な第２切欠部３１ｂが形成され、連結帯３１は、一端が第１切欠部３１ａの内側に連結され、他端が第２切欠部３１ｂの内側に連結されている。これにより、第１容器１０の開口部と第２容器２０の開口部を嵌合した状態で、連結帯３１が容器本体２の外表面から突出することを防止できる。
【００８１】
以上、本発明の容器を実施例１に基づき説明してきたが、具体的な構成については、この実施例に限られるものではなく、特許請求の範囲の各請求項に係る発明の要旨を逸脱しない限り、設計の変更や追加等は許容される。
【００８２】
実施例１の容器１では、容器本体２の周面に六か所の平坦な平坦領域１３ａ，２３ａを形成し、容器本体２の閉じた状態の外観を角が丸くなった六角柱形状とする例を示した。しかしながらこれに限らない。図１５に示すように、平坦領域１３ａ，２３ａを容器本体２の周面に四か所ずつ形成してもよいし、任意の数に設定することができる。また、複数の平坦領域１３ａ，２３ａの間隔は等間隔でなくてもよい。さらに、各平坦領域１３ａ，２３ａは、開口部１１，２１の周縁から頂部１０ａ，２０ａに向かって延びていなくてもよく、第１，第２傾斜面１３，２３の任意の位置に形成されていてもよい。
【００８３】
なお、第１傾斜面１３，第２傾斜面２３には、必ずしも平坦領域１３ａ，２３ａを形成しなくてもよい。この場合、容器本体２の外観は、図１６に示すように、一方の頂部１０ａに第１接触面１２が形成され、他方の頂部２０ａに第２接触面２２が形成された球体を呈したり、或いは楕円体を呈することになる。
【００８４】
実施例１では、第１，第２傾斜面１３，２３にサイコロの目を模した刻印１３ｂ，２３ｂを形成した例を示した。しかしながら、刻印１３ｂ，２３ｂの形状はこれに限らず、例えばジャンケンの手の形を示す図柄や、数字、その他任意の形状であってもよい。また、第１傾斜面１３に形成した刻印１３ｂと、第２傾斜面２３に形成した刻印２３ｂとを異なる形状としてもよい。また、刻印１３ａ，２３ａを形成しなくてもよい。
【００８５】
実施例１では、凹部１４や凸部２４を、溝形状や帯形状とする例を示したが、これに限らない。凹部１４や凸部２４は、互いに噛み合うことが可能であれば、その外観形状については任意に設定することができる。また、凹部１４のうちの一部が第１接触面１２と第１傾斜面１３に跨って形成され、凸部２４のうちの一部が第２接触面２２と第２傾斜面２３に跨って形成されていればよい。
【００８６】
つまり、実施例１では、凹部１４の一対のメイン凹部１４ｂ，１４ｃの両端部を第１接触面１２と第１傾斜面１３に跨って形成し、凸部２４の一対のメイン凸部２４ｂ，２４ｃの両端部を第２接触面２２と第２接触面に跨って形成する。そして、容器本体２の周方向の四か所で凹部１４と凸部２４の位置関係を把握することができる例を示した。しかしながら、容器本体２を積み上げたときに、周囲から凹部１４や凸部２４の一部を目視できればよい。そのため、第１接触面１２と第１傾斜面１３に跨って形成する凹部１４の位置や数、第２接触面２２と第２傾斜面２３に跨って形成する凸部２４の位置や数は任意に設定することができる。
【００８７】
実施例１では、凹部１４を形成する突起１４ａの側面と凸部２４の側面は、いずれも先細りとなるように傾斜している例を示した。これにより、容器本体２を積み重ねて凹部１４と凸部２４が噛み合ったときに、凹部１４に対して凸部２４が嵌合することを防止できる。このため、積み重ねた容器本体２同士の位置決めを行うことができる一方、積み重ねた状態を簡単に崩すことが可能となる。なお、凹部１４と凸部２４が噛み合った際、凹部１４に対して凸部２４が嵌合するようにしてもよい。
【００８８】
そして、実施例１では、凹部１４が第１容器１０の表面から突出した多数の突起１４ａによって形成される例を示したが、これに限らない。例えば、第１容器１０の表面をへこませることで凹部１４を形成してもよい。
【００８９】
実施例１では、第１容器１０と第２容器２０がヒンジ３０を介して連結している例を示した。しかしながら、これに限らず、容器本体２を開いたときに第１，第２容器１０，２０が完全に分離するものであってもよい。さらに、開口部１１，２１にロック機構を設け、第１，第２容器１０，２０を嵌合した状態で簡単に開かないようにしてもよい。また、開口部１１，２１を円形にして互いの接触面にねじ溝を形成し、このねじ溝を螺合することで第１，第２容器１０，２０を嵌合するものであってもよい。
【００９０】
実施例１では、第１容器１０の開口部１１に第１インロー部１１ａを形成し、第２容器２０の開口部２１に第２インロー部２１ａを形成し、第２インロー部２１ａに第１インロー部１１ａが嵌合することで、第１，第２容器１０，２０が嵌合する例を示したが、これに限らない。第１容器１０の開口部１１に第２インロー部を形成し、第２容器２０の開口部２１に、第２インロー部に入り込む第１インロー部を形成してもよい。さらに、第１容器１０の開口部１１の先端と第２容器２０の開口部２１の先端を突き合わせた状態で、第１容器１０と第２容器２０を連結してもよい。つまり、開口部１１と開口部２１とが接触し、これによって第１，第２容器１０，２０が連結して容器本体２が形成されればよい。
【符号の説明】
【００９１】
１      ：容器
２      ：容器本体
１０    ：第１容器
１０ａ  ：頂部
１１    ：開口部
１２    ：第１接触面
１３    ：第１傾斜面
１３ａ  ：平坦領域
１４    ：凹部
１４ａ  ：突起
２０    ：第２容器
２０ａ  ：頂部
２１    ：開口部
２２    ：第２接触面
２３    ：第２傾斜面
２３ａ  ：平坦領域
２４    ：凸部
３０    ：ヒンジ
３１    ：連結帯
３２    ：ヒンジ突部
３３    ：ヒンジへこみ部
Ｌ      ：軸方向
【図１】
2020015533.tif 000003
【図２】
2020015533.tif 000004
【図３Ａ】
2020015533.tif 000005
【図３Ｂ】
2020015533.tif 000006
【図３Ｃ】
2020015533.tif 000007
【図４】
2020015533.tif 000008
【図５】
2020015533.tif 000009
【図６】
2020015533.tif 000010
【図７】
2020015533.tif 000011
【図８】
2020015533.tif 000012
【図９】
2020015533.tif 000013
【図１０】
2020015533.tif 000014
【図１１】
2020015533.tif 000015
【図１２】
2020015533.tif 000016
【図１３Ａ】
2020015533.tif 000017
【図１３Ｂ】
2020015533.tif 000018
【図１４Ａ】
2020015533.tif 000019
【図１４Ｂ】
2020015533.tif 000020
【図１５】
2020015533.tif 000021
【図１６】
2020015533.tif 000022